【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  入力機器または出力機器のキャリブレーションを行い、当該入力機器または出力機器に関する画像処理で用いる画像処理係数を求めるためのキャリブレーション方法であって、
所定の標準環境を示す標準環境データと、該標準環境データが示す値と所定値以下の差を持った環境データの環境下で行われたキャリブレーションで求められた画像処理係数を標準画像処理係数として取得し、
前記標準環境データが示す値と前記所定値より大きな差を持った暫定環境データと、該暫定環境データの環境下で行われたキャリブレーションで求められた画像処理係数を暫定画像処理係数として取得し、
入力機器または出力機器が用いられるときの環境データを取得し、
該取得した環境データが示す値の、前記標準環境データが示す値および前記暫定環境データが示す値に対する距離関係に応じて、前記標準画像処理係数および前記暫定画像処理係数に基づく、前記入力機器または出力機器に関する画像処理で用いる画像処理係数を、求める、
ステップを有したことを特徴とするキャリブレーション方法。
【請求項２】  入力機器または出力機器のキャリブレーションを行い、当該入力機器または出力機器に関する画像処理で用いる画像処理係数を求めるためのキャリブレーション方法であって、
所定の標準環境を示す標準環境データと、該標準環境データが示す値と所定値以下の差を持った環境データの環境下、または前記標準環境データが示す値と前記所定値より大きな差を持った環境データの環境下で行われたキャリブレーションで求められた画像処理係数を標準画像処理係数として取得し、
前記標準環境データが示す値と前記所定値より大きな差を持った暫定環境データと、該暫定環境データの環境下で行われたキャリブレーションで求められた画像処理係数を暫定画像処理係数として取得し、
入力機器または出力機器が用いられるときの環境データを取得し、
該取得した環境データが示す値の、前記標準環境データが示す値および前記暫定環境データが示す値に対する距離関係に応じて、前記標準画像処理係数および前記暫定画像処理係数に基づく、前記入力機器または出力機器に関する画像処理で用いる画像処理係数を求める、
ステップを有したことを特徴とするキャリブレーション方法。
【請求項３】  前記距離関係に応じて画像処理係数を求めるステップは、前記取得した環境データが示す値との距離がより近い前記標準環境データまたは前記暫定環境データに係わる標準画像処理係数または暫定画像処理係数のいずれか一方を、画像処理係数として求めることを特徴とする請求項１または２に記載のキャリブレーション方法。
【請求項４】  前記距離関係に応じて画像処理係数を求めるステップは、前記標準環境データが示す値と前記暫定環境データが示す値とで形成される直線の、前記取得した環境データが示す値によって定まる内分比を用いて、前記標準環境データが示す値と前記暫定環境データが示す値の内分演算で求められた値を画像処理係数として求めることを特徴とする請求項１または２に記載のキャリブレーション方法。
【請求項５】  前記標準画像処理係数として取得される、前記標準環境データが示す値と前記所定値より大きな差を持った環境データの環境で行われたキャリブレーションで求められた画像処理係数は、入力機器または出力機器を用いるオペレータの指示によって標準画像処理係数が更新されたものであることを特徴とする請求項２または３に記載のキャリブレーション方法。
【請求項６】  前記所定の標準環境を示す標準環境データは、入力機器または出力機器の環境データを所定時間ごとに検出したデータに基づいて得られることを特徴とする請求項１ないし５のいずれかに記載のキャリブレーション方法。
【請求項７】  前記所定の標準環境を示す標準環境データは、１日における前記所定時間ごとに検出されるデータに基づいて得られることを特徴とする請求項６に記載のキャリブレーション方法。
【請求項８】  前記所定の標準環境を示す標準環境データは、前記１日における前記所定時間ごとに検出されるデータのうち、前記所定時間ごとの変化率が所定範囲内にあるデータの、所定日数の平均として得られることを特徴とする請求項７に記載のキャリブレーション方法。
【請求項９】  前記キャリブレーションは、画像処理における濃度補正のための画像処理係数を求めることを特徴とする請求項１ないし８のいずれかに記載のキャリブレーション方法。
【請求項１０】  前記環境データは、温度、湿度および入力機器または出力機器の電源電圧であることを特徴とする請求項１ないし９のいずれかに記載のキャリブレーション方法。
【請求項１１】  入力機器または出力機器のキャリブレーションを行い、当該入力機器または出力機器に関する画像処理で用いる画像処理係数を求めるためのキャリブレーションを制御する画像処理装置であって、
所定の標準環境を示す標準環境データと、該標準環境データが示す値と所定値以下の差を持った環境データの環境下で行われたキャリブレーションで求められた画像処理係数を標準画像処理係数として取得する第１取得手段と、
前記標準環境データが示す値と前記所定値より大きな差を持った暫定環境データと、該暫定環境データの環境下で行われたキャリブレーションで求められた画像処理係数を暫定画像処理係数として取得する第２取得手段と、
入力機器または出力機器が用いられるときの環境データを取得する環境データ取得手段と、
該環境データ取得手段が取得した環境データが示す値の、前記標準環境データが示す値および前記暫定環境データが示す値に対する距離関係に応じて、前記標準画像処理係数および前記暫定画像処理係数に基づく、前記入力機器または出力機器に関する画像処理で用いる画像処理係数を求める画像処理係数調整手段と、
を有したことを特徴とする画像処理装置。
【請求項１２】  入力機器または出力機器のキャリブレーションを行い、当該入力機器または出力機器に関する画像処理で用いる画像処理係数を求めるためのキャリブレーションを制御する画像処理装置であって、
所定の標準環境を示す標準環境データと、該標準環境データが示す値と所定値以下の差を持った環境データの環境下、または前記標準環境データが示す値と前記所定値より大きな差を持った環境データの環境下で行われたキャリブレーションで求められた画像処理係数を標準画像処理係数として取得する第１取得手段と、
前記標準環境データが示す値と前記所定値より大きな差を持った暫定環境データと、該暫定環境データの環境下で行われたキャリブレーションで求められた画像処理係数を暫定画像処理係数として取得する第２取得手段と、
入力機器または出力機器が用いられるときの環境データを取得する環境データ取得手段と、
該取得した環境データが示す値の、前記標準環境データが示す値および前記暫定環境データが示す値に対する距離関係に応じて、前記標準画像処理係数および前記暫定画像処理係数に基づく、前記入力機器または出力機器に関する画像処理で用いる画像処理係数を求める画像処理係数調整手段と、
を有したことを特徴とする画像処理装置。
【請求項１３】  前記画像処理係数調整手段は、前記取得した環境データが示す値との距離がより近い前記標準環境データまたは前記暫定環境データに係わる標準画像処理係数または暫定画像処理係数のいずれか一方を、画像処理係数として求めることを特徴とする請求項１１または１２に記載の画像処理装置。
【請求項１４】  前記画像処理係数調整手段は、前記標準環境データが示す値と前記暫定環境データが示す値とで形成される直線の、前記取得した環境データが示す値によって定まる内分比を用いて、前記標準環境データが示す値と前記暫定環境データが示す値の内分演算で求められた値を画像処理係数として求めることを特徴とする請求項１１または１２に記載の画像処理装置。
【請求項１５】  前記標準画像処理係数として取得される、前記標準環境データが示す値と前記所定値より大きな差を持った環境データの環境で行われたキャリブレーションで求められた画像処理係数は、入力機器または出力機器を用いるオペレータの指示によって標準画像処理係数が更新されたものであることを特徴とする請求項１２または１３に記載の画像処理装置。
【請求項１６】  前記所定の標準環境を示す標準環境データは、入力機器または出力機器の環境データを所定時間ごとに検出したデータに基づいて得られることを特徴とする請求項１１ないし１５のいずれかに記載の画像処理装置。
【請求項１７】  前記所定の標準環境を示す標準環境データは、１日における前記所定時間ごとに検出されるデータに基づいて得られることを特徴とする請求項１６に記載の画像処理装置。
【請求項１８】  前記所定の標準環境を示す標準環境データは、前記１日における前記所定時間ごとに検出されるデータのうち、前記所定時間ごとの変化率が所定範囲内にあるデータの、所定日数の平均として得られることを特徴とする請求項１７に記載の画像処理装置。
【請求項１９】  前記キャリブレーションは、画像処理における濃度補正のための画像処理係数を求めることを特徴とする請求項１１ないし１８のいずれかに記載の画像処理装置。
【請求項２０】  前記環境データは、温度、湿度および入力機器または出力機器の電源電圧であることを特徴とする請求項１１ないし１９のいずれかに記載の画像処理装置。
【請求項２１】  情報処理装置に、入力機器または出力機器のキャリブレーションであって、当該入力機器または出力機器に関する画像処理で用いる画像処理係数を求めるためのキャリブレーションを実行させるプログラムであって、該プログラムによる処理は、
所定の標準環境を示す標準環境データと、該標準環境データが示す値と所定値以下の差を持った環境データの環境下で行われたキャリブレーションで求められた画像処理係数を標準画像処理係数として取得し、
前記標準環境データが示す値と前記所定値より大きな差を持った暫定環境データと、該暫定環境データの環境下で行われたキャリブレーションで求められた画像処理係数を暫定画像処理係数として取得し、
入力機器または出力機器が用いられるときの環境データを取得し、
該取得した環境データが示す値の、前記標準環境データが示す値および前記暫定環境データが示す値に対する距離関係に応じて、前記標準画像処理係数および前記暫定画像処理係数に基づく、前記入力機器または出力機器に関する画像処理で用いる画像処理係数を求める、
ステップを有したことを特徴とするプログラム。